(57)【要約】      （修正有）【課題】複数のＰＡユニット等、複数の電子機器を冷却する電子機器用空冷装置において、各電子機器に流入する冷却風の風量が均一となるように調整することができる構造の電子機器用空冷装置を提供する。【解決手段】レバー７と、このレバー７の操作に連動してダクト２内で回転する風向板を設けることにより、レバー７の操作に応じて風向板の傾斜角を可変する構造とすることで、レバー７を操作して各ＰＡユニット４への冷却風の風量が均一となるように調整できるようにする。【選択図】図１
2007115823.tif 000002
【特許請求の範囲】
【請求項１】
送風機と、該送風機から送出された冷却風が通過するダクトと、該ダクトからの冷却風が流入される複数の電子機器を有する電子機器用空冷装置において、
レバーと、該レバーの操作に連動して回転し前記ダクト内の冷却風の流入方向を可変する風向板をそれぞれ１つ以上具備し、前記レバーの操作に応じて前記風向板の傾斜角を可変させ、前記各電子機器への冷却風の流入量を調整する構造としたことを特徴とする電子機器用空冷装置。
【請求項２】
請求項１記載の電子機器用空冷装置において、
先端に前記レバーが取り付けられると共に長手方向に前記風向板が取り付けられた回転軸を具備し、前記レバーを操作したとき、前記回転軸の回転に伴って前記風向板の傾斜角が可変する構造としたことを特徴とする電子機器用空冷装置。
【発明の詳細な説明】
【技術分野】
【０００１】
本発明は、複数の電子機器を空冷する電子機器用空冷装置に関し、各電子機器への冷却風の流量を調整するための電子機器用空冷装置の構造に関するものである。
【背景技術】
【０００２】
図４は、従来の一例である電子機器用空冷装置の構造を示す斜視図である。電力増幅ユニット（以下、ＰＡユニットと称する）４−１、４−２、４−３、４−４を冷却風で冷却するため、電子機器用空冷装置に内蔵された送風機１から送出された冷却風は、ダクト２を通過し、各ノズル３−１、３−２、３−３、３−４から各ＰＡユニット４−１、４−２、４−３、４−４に流入する構造となっている。なお、各ＰＡユニット４−１、４−２、４−３、４−４で暖められた冷却風は各ＰＡユニット４−１、４−２、４−３、４−４の排出口（図示せず）から排出される。この構造の電子機器用空冷装置の場合、ＰＡユニット４−４の様な、送風機１に近いＰＡユニットほど冷却風の風量が多くなる傾向にあることにより、即ち、各ＰＡユニット４−１、４−２、４−３、４−４に流入する冷却風の風量が異なることにより、各ＰＡユニット４−１、４−２、４−３、４−４の温度がばらつくことがあった。
【特許文献１】特開２００５−７２９６０号公報
【発明の開示】
【発明が解決しようとする課題】
【０００３】
前述の通り、従来の電子機器用空冷装置の構造では、流入する冷却風の風量が各電子機器（ＰＡユニット）によって異なることにより、各電子機器（ＰＡユニット）の温度がばらつきやすくなる、即ち、各電子機器（ＰＡユニット）の温度を均一にしにくくなるという欠点があった。
【０００４】
そこで本発明ではこの欠点を除去することにより、各電子機器（ＰＡユニット）に流入する冷却風の風量が均一となるように調整することができる構造の電子機器用空冷装置を提供することを目的とする。
【課題を解決するための手段】
【０００５】
本発明は、前述の目的を達成するため、送風機と、該送風機から送出された冷却風が通過するダクトと、該ダクトからの冷却風が流入される複数の電子機器（ＰＡユニット）を有する電子機器用空冷装置において、レバーと、該レバーの操作に連動して回転し前記ダクト内の冷却風の流入方向を可変する風向板をそれぞれ１つ以上具備し、前記レバーの操作に応じて前記風向板の傾斜角を可変させ、前記各電子機器（ＰＡユニット）への冷却風の流入量を調整する構造とすることにより、前記レバーを操作して各電子機器（ＰＡユニット）への風量を調整できるようにしたものである。
【０００６】
更に詳しくは、先端に前記レバーが取り付けられると共に長手方向に前記風向板が取り付けられた回転軸を具備し、前記レバーを操作したとき、前記回転軸の回転に伴って前記風向板の傾斜角が可変する構造となるようにしたものである。
【発明の効果】
【０００７】
以上説明したように本発明によれば、レバーを回転させることにより風向板の傾斜角を可変することにより、レバーの操作に応じて各電子機器（ＰＡユニット）へ流入する冷却風の流量が可変するため、各電子機器（ＰＡユニット）へ流入する風量が均一となるように調整することができる。その結果、各電子機器（ＰＡユニット）の温度が均一となるように調整することができる。
【発明を実施するための最良の形態】
【０００８】
以下、本発明の一実施例である電子機器用空冷装置について、図１〜図３、図５を用いて説明する。図１は本発明の一実施例である電子機器用空冷装置の構造を示す斜視図、図２は本発明の一実施例である電子機器用空冷装置で、ダクト内部の構造を示す斜視図、図３は本発明の一実施例である電子機器用空冷装置で、レバーにより風向板を回転させたときの冷却風の流れを示す図、図５は本発明の一実施例である電子機器用空冷装置で、ダクト内部の構造を示す断面図である。本実施例の電子機器用空冷装置は、内蔵された送風機１から送出された冷却風が、ダクト２を通過し、各ノズル３−１、３−２、３−３、３−４から各ＰＡユニット４−１、４−２、４−３、４−４に流入し、各ＰＡユニット４−１、４−２、４−３、４−４で暖められた冷却風が各ＰＡユニット４−１、４−２、４−３、４−４の排出口（図示せず）から排出されるという点では従来の電子機器用空冷装置と共通している。なお、本実施例の電子機器用空冷装置は、各ＰＡユニット４−１、４−２、４−３、４−４に流入する冷却風の風量を調整することができるという点で、従来の電子機器用空冷装置と異なる。以下、各ＰＡユニットに流入する冷却風の風量を調整するための本実施例の電子機器空冷装置の構造について説明する。
【０００９】
図２、図５の通り、ダクト２の両側面には、回転軸６−１、６−２、６−３、６−４をそれぞれ支えるための軸受８−１、８−２、８−３、８−４が取り付けられている。各回転軸６−１、６−２、６−３、６−４の先端にはそれぞれレバー７−１、７−２、７−３、７−４が取り付けられている（レバー７−３は回転軸６−３の先端に、レバー７−４は回転軸６−４の先端に取り付けられている）と共に、各回転軸６−１、６−２、６−３、６−４の長手方向には風向板５−１、５−２、５−３、５−４が取り付けられている。操作者がレバー７−１、７−２、７−３、７−４の内の１つ、例えば、レバー７−１を回転させると、回転軸６−１と共に風向板５−１が回転することで、風向板５−１の傾斜角が変わる。風向板５−１の傾斜角が変わると、図３の通り、ＰＡユニット４−１への流入口の広さが変わるため、ＰＡユニット４−１に流入する冷却風の風量が変わる。例えば、冷却風のＰＡユニット４−１への流入量に関し、傾斜角がθ１のときと傾斜角がθ２のときとを比較すると、傾斜角θ１のときの方が傾斜角θ２のときよりも流入口が広いことで冷却風がＰＡ４−１に流入しやすいため、ＰＡユニット４−１に流入する冷却風の風量が多くなる。従って、レバー７−１を回転させることで風向板５−１の傾斜角を調整することにより、ＰＡユニット４−１への冷却風の流入量を調整することができる。なお、他のＰＡユニット４−２、４−３、４−４への冷却風の流入量についても、同様にして、対応する各レバー７−２、７−３、７−４を回転させることで、各風向板５−２、５−３、５−４の傾斜角を調整することにより、冷却風の流入量を調整することができる。その結果、本実施例の電子機器用空冷装置では、送風機１に近いＰＡユニット（例えば、ＰＡユニット４−４）については、風向板（例えば、風向板５−４）の傾斜角をθ２近傍とすることで冷却風の流入量を制限すると共に、送風機１から遠いＰＡユニット（例えば、ＰＡユニット４−１）については、風向板（例えば、風向板５−１）の傾斜角をθ１近傍とすることで冷却風が流入しやすくすることにより、各ＰＡユニット４−１、４−２、４−３、４−４への冷却風の流入量が均一となるように調整することができる。
【図面の簡単な説明】
【００１０】
【図１】本発明の一実施例である電子機器用空冷装置の構造を示す斜視図。
【図２】本発明の一実施例である電子機器用空冷装置で、ダクト内部の構造を示す斜視図。
【図３】本発明の一実施例である電子機器用空冷装置で、レバーにより風向板を回転させたときの冷却風の流れを示す図。
【図４】従来の一例である電子機器用空冷装置の構造を示す斜視図。
【図５】本発明の一実施例である電子機器用空冷装置で、ダクト内部の構造を示す断面図。
【符号の説明】
【００１１】
１：送風機
２：ダクト
３−１、３−２、３−３、３−４：ノズル
４−１、４−２、４−３、４−４：冷却ユニット
５−１、５−２、５−３、５−４：風向板
６−１、６−２、６−３、６−４：回転軸
７−１、７−２、７−３、７−４：レバー
８−１、８−２、８−３、８−４：軸受
【図１】
2007115823.tif 000003
【図２】
2007115823.tif 000004
【図３】
2007115823.tif 000005
【図４】
2007115823.tif 000006
【図５】
2007115823.tif 000007